(57)【要約】【課題】減圧用パネルの開閉をハンドルの回動操作でできるようにする。【解決手段】  ドア本体（１８）と、減圧用パネル（２２）と、ドアラッチ装置（２６）と、減圧パネル用ラッチ装置（２７）と、パネル開閉操作装置（２９）とを有する。パネル開閉操作装置（２９）は、ハンドル軸（２８）が回転されてドア本体用ラッチボルト（３２）がドア施錠位置からドア解錠位置に向けて変位されるのに伴い減圧パネル用ラッチ装置（２７）が減圧パネル用ラッチボルト（４２）をパネル解錠位置に変位させたときに、ハンドル軸の更なる回転に連動して減圧用パネル（２２）を減圧用開口閉鎖位置から減圧用開口開放位置に変位させる。【選択図】図２
2019173474.tif 000002
【特許請求の範囲】
【請求項１】
一方の側縁に沿って垂直に延びる第１軸線を中心に枢動可能とされて、ドア開口閉鎖位置とドア開口開放位置との間で変位可能とされたドア本体と、
該ドア本体の表面から裏面に貫通するように設けられた減圧用開口内に設けられる減圧用パネルであって、該ドア本体の該一方の側縁に近い側にある第１側縁と該ドア本体の他方の側縁に近い側にある第２側縁とを有し、該第１側縁及び該第２側縁の間において垂直に延びる第２軸線を中心に枢動可能とされ、減圧用開口閉鎖位置と減圧用開口開放位置との間で変位可能に取り付けられている減圧用パネルと、
該ドア本体の該他方の側縁に隣接して該ドア本体内に取り付けられたドアラッチ装置であって、該ドア本体を該表面から裏面に貫通する方向で水平に延びるように取り付けられ、その長手軸線を中心に回転可能とされたハンドル軸と、該ハンドル軸の端部に固定されたハンドルと、該ドア本体が該ドア開口閉鎖位置にあるときに、該ハンドルを介して回転される該ハンドル軸に連動して該ドア本体の該他方の側縁から外側に突出して該ドア開口を画定しているドア開口側縁に設けられているドア施錠用穴に嵌合するドア施錠位置と、該ドア本体内に引き込められたドア解錠位置との間で変位可能とされたドア本体用ラッチボルトとを有するドアラッチ装置と、
該ドアラッチ装置に隣接して該ドア本体内に設けられた減圧パネル用ラッチ装置であって、該減圧用パネルが該減圧用開口閉鎖位置にあるときに該減圧用パネルの側縁に設けられているパネル施錠用穴に嵌合するパネル施錠位置と、該パネル施錠用穴から引き戻されたパネル解錠位置との間で変位可能とされた減圧パネル用ラッチボルトを有し、該ハンドル軸が回転されて該ドア本体用ラッチボルトが該ドア施錠位置から該ドア解錠位置に向けて変位されるのに連動して該減圧パネル用ラッチボルトを該パネル施錠位置から該パネル解錠位置に変位させるようにした減圧パネル用ラッチ装置と、
該ハンドル軸が回転されて該ドア本体用ラッチボルトが該ドア施錠位置から該ドア解錠位置に向けて変位されるのに伴い該減圧パネル用ラッチ装置が該減圧パネル用ラッチボルトを該パネル解錠位置に変位させたときに、該ハンドル軸の更なる回転に連動して該減圧用パネルを該減圧用開口閉鎖位置から該減圧用開口開放位置に変位させるパネル開閉操作装置と、
を有する開閉可能の減圧用開口を備えたドア。
【請求項２】
該パネル開閉操作装置は、
該ハンドル軸と共に回動する係合部材と、
長手軸線方向で変位可能にして該ドア本体に取り付けられた第１のラック部材であって、該ハンドル軸の該更なる回転が行われるときに該第１のラック部材の一端が該係合部材に係合されて該長手軸線方向に動かされるようになされており、他端に該長手軸線方向で延びる第１のラック部を有する第１のラック部材と、
該減圧用パネルを該ドア本体に枢動可能に取り付けるために該第２軸線に沿って該減圧用パネルに固定された枢軸に固定された第１のピニオンと、
長手軸線方向で変位可能にして該ドア本体に取り付けられた第２のラック部材であって、一端に該第１のピニオンに噛合する第２のラック部及び他端に第３のラック部を有する第２のラック部材と、
該第１のラックと該第３のラックとに噛合された第２のピニオンと
を有しており、
該ハンドル軸の該更なる回転に伴う該第１のラック部材の長手軸線方向での変位が該第１ラック部、該第２のピニオン、該第３のラック部を介して該第２のラック部材の長手軸線方向での変位を生じ、これにより第２のラック部、第１のピニオン及び該枢軸を介して該減圧用パネルを該減圧用開口閉鎖位置から該減圧用開口開放位置に枢動させるようにした、請求項１に記載のドア。
【請求項３】
該第１及び第２のラック部材は相互に直交するように配置されている、請求項２に記載のドア。
【請求項４】
該第１のラック部材は垂直方向に延び、
該第２のラック部材は該減圧用パネルの下縁に隣接して水平に延びるようにされている、請求項３に記載のドア。
【請求項５】
該第２のピニオンは同軸状に配置した大径ピニオン部と小径ピニオン部とを有しており、該第１のラックは該大径ピニオン部に噛合し、第３のラックは該小径ピニオン部に噛合している、請求項２乃至４のいずれか一項に記載のドア。
【請求項６】
該第１のラック部材は、該第１のラック部材の該一端から該他端方向に向けて弾性的に付勢されている、請求項２乃至５のいずれか一項に記載のドア。
【請求項７】
該第２のラック部材は、該第３のラック部から該第２のラック部に向かう方向で弾性的に付勢されている、請求項２乃至６のいずれか一項に記載のドア。
【請求項８】
該減圧パネル用ラッチ装置は、該ハンドル軸の回転に連動して該ドア本体用ラッチボルトが該ドア解錠位置になる前に、該減圧パネル用ラッチボルトを該パネル施錠位置から該パネル解錠位置に変位させるようにした、請求項１乃至７のいずれか一項に記載のドア。
【請求項９】
一方の側縁に沿って垂直に延びる第１軸線を中心に枢動可能とされて、ドア開口閉鎖位置とドア開口開放位置との間で変位可能とされたドア本体と、
該ドア本体の表面から裏面に貫通するように設けられた減圧用開口内に設けられる減圧用パネルであって、該ドア本体の該一方の側縁に近い側にある第１側縁と該ドア本体の他方の側縁に近い側にある第２側縁とを有し、該第１側縁及び該第２側縁の間において垂直に延びる第２軸線を中心に枢動可能とされ、減圧用開口閉鎖位置と減圧用開口開放位置との間で変位可能に取り付けられている減圧用パネルと、
該ドア本体の該他方の側縁に隣接して該ドア本体内に取り付けられたドアラッチ装置であって、該ドア本体を該表面から裏面に貫通する方向で水平に延びるように取り付けられ、その長手軸線を中心に回転可能とされたハンドル軸と、該ハンドル軸の端部に固定されたハンドルと、該ドア本体が該ドア開口閉鎖位置にあるときに、該ハンドルを介して回転される該ハンドル軸に連動して該ドア本体の該他方の側縁から外側に突出して該ドア開口を画定しているドア開口側縁に設けられているドア施錠用穴に嵌合するドア施錠位置と、該ドア本体内に引き込められたドア解錠位置との間で変位可能とされたドア本体用ラッチボルトとを有するドアラッチ装置と、
該ドアラッチ装置に隣接して該ドア本体内に設けられた減圧パネル用ラッチ装置であって、該減圧用パネルが該減圧用開口閉鎖位置にあるときに該減圧用パネルの側縁に設けられているパネル施錠用穴に嵌合するパネル施錠位置と、該パネル施錠用穴から引き戻されたパネル解錠位置との間で変位可能とされた減圧パネル用ラッチボルトを有し、該ハンドル軸が回転されて該ドア本体用ラッチボルトが該ドア施錠位置から該ドア解錠位置に向けて変位されるのに連動して該減圧パネル用ラッチボルトを該パネル施錠位置から該パネル解錠位置に変位させるようにした減圧パネル用ラッチ装置と、
を有するドアに取り付けられるパネル開閉操作装置であって、
該ハンドル軸が回転されて該ドア本体用ラッチボルトが該ドア施錠位置から該ドア解錠位置に向けて変位されるのに伴い該減圧パネル用ラッチ装置が該減圧パネル用ラッチボルトを該パネル解錠位置に変位させたときに、該ハンドル軸の更なる回転に連動して該減圧用パネルを該減圧用開口閉鎖位置から該減圧用開口開放位置に変位させるようにしたパネル開閉操作装置。
【請求項１０】
該ハンドル軸と共に回動する係合部材と、
長手軸線方向で変位可能にして該ドア本体に取り付けられた第１のラック部材であって、該ハンドル軸の該更なる回転が行われるときに該第１のラック部材の一端が該係合部材に係合されて該長手軸線方向に動かされるようになされており、他端に該長手軸線方向で延びる第１のラック部を有する第１のラック部材と、
該減圧用パネルを該ドア本体に枢動可能に取り付けるために該第２軸線に沿って該減圧用パネルに固定された枢軸に固定された第１のピニオンと、
長手軸線方向で変位可能にして該ドア本体に取り付けられた第２のラック部材であって、一端に該第１のピニオンに噛合する第２のラック部及び他端に第３のラック部を有する第２のラック部材と、
該第１のラックと該第３のラックとに噛合された第２のピニオンと
を有しており、
該ハンドル軸の該更なる回転に伴う該第１のラック部材の長手軸線方向での変位が該第１ラック部、該第２のピニオン、該第３のラック部を介して該第２のラック部材の長手軸線方向での変位を生じ、これにより第２のラック部、第１のピニオン及び該枢軸を介して該減圧用パネルを該減圧用開口閉鎖位置から該減圧用開口開放位置に枢動させるようにした、請求項９に記載のパネル開閉操作装置。
【請求項１１】
該第２のピニオンは同軸状に配置した大径ピニオン部と小径ピニオン部とを有しており、該第１のラックは該大径ピニオン部に噛合し、第３のラックは該小径ピニオン部に噛合している、請求項１０に記載のパネル開閉操作装置。
【請求項１２】
該第１のラック部材は、該第１のラック部材の該一端から該他端方向に向けて弾性的に付勢されている、請求項１０又は１１に記載のパネル開閉操作装置。
【請求項１３】
該第２のラック部材は、該第３のラック部から該第２のラック部に向かう方向で弾性的に付勢されている、請求項１０乃至１２のいずれか一項に記載のパネル開閉操作装置。
【発明の詳細な説明】
【技術分野】
【０００１】
本発明は、防火ドアなどに適した開閉可能な減圧用開口を備えたドアに関する。
【背景技術】
【０００２】
防火ドアは、通常は開かれていて出火時にドア開口（通路開口）を閉じる常開型と、通常からドア開口を閉じる位置にあり、出火時にそのドアを開いて避難できるようにした常閉型がある。
【０００３】
防火ドアは、出火時に閉鎖しようとしたり開放しようとしたりするときに、当該防火ドアにかかる空気圧などによりその動きが妨げられることがあり、これを解消するための種々の工夫がされてきている。例えば、特許文献１は、開閉可能な減圧用開口を備えた常閉型防火ドアを開示している。この防火ドアは、減圧用開口を開放することにより、当該ドアの表側面及び裏側面に生じて開放動作の妨げとなる圧力差をなくすようにしている。
【０００４】
より具体的に述べれば、特許文献１に開示された常閉防火ドアは、一方の側縁に沿って垂直に延びる枢軸線を中心に枢動可能とされたドア本体（特許文献１での用語では「防火扉５」）と、該ドア本体の他方の側縁の上下方向中央部分に該他方の側縁から該一方の側縁に向けて延びるように凹まされた減圧用開口（開口部６）と、該減圧用開口を閉じるように設けられて、上記枢軸線と平行に延びる枢軸線を中心に枢動可能とされた減圧用パネル（可動体１０）とを有している。ドア開口（通路３）を閉鎖している状態では、減圧用パネルに設けられている減圧パネル用ラッチボルト（ラッチ１３）がドア本体に設けられているラッチ穴に嵌合して当該減圧用パネルが閉鎖状態に保持されるとともに、同じく減圧用パネルに設けられているドア本体用ラッチボルト（ラッチ１２）がドア開口側縁に設けられているラッチ穴に嵌合して当該ドア本体が閉鎖状態に保持されるようになっている。出火時には、減圧用パネルに設けられているハンドル（ドアノブ８）を回すことにより、ドア本体用ラッチボルト及び減圧用パネル用ラッチボルトの両方をそれぞれに対応するラッチ穴から引き抜くようになっており、その状態では減圧用パネルはその表裏面にかかる圧力差により開放されるようにされ、同圧力差がなくなり、当該ドア本体が開放しやすくなるようにしている。
【０００５】
このように、特許文献１に開示された防火ドアでは、ハンドル、ドア本体用ラッチボルト、減圧パネル用ラッチボルト等からなるラッチ装置がドア本体に対して枢動する減圧用パネルに取り付けられており、出火時にドア本体を開放しようとするときには、ラッチ装置の設けられている減圧用パネルが先ず開放状態（すなわち、ドア本体に対して斜めに角度がつけられた状態）とされる。特許文献１の記載によれば、この状態において「防火扉５を押すなどして外部に非難できる」（[００２４]最下行）としており、ドア本体（防火扉５）を開放するのに、ドア本体に対して角度が付けられた減圧用パネルやそれに設けられているハンドルをもって行うのではなくドア本体を押して行うようになっている。
【０００６】
これに対して本願出願人は、ラッチ装置を減圧用パネルにではなくドア本体に設けることにより、減圧用パネルの開放操作とドア本体の開放操作の両方を当該ラッチ装置のハンドルを持ったまま行えるようにした新規なドアに関する特許出願（特願２０１７-１６５７４６）を行っている。このドアにおいては、ハンドルを回してドア本体用ラッチボルト及び減圧パネル用ラッチボルトを解錠位置とし、減圧用パネルを当該減圧用パネルにかかる上述のごとき圧力差を利用して回動し減圧用開口を開放するようになっている。また、このドアにおいては減圧用パネルを開放位置から閉鎖位置に戻すよう作用する磁石装置が設けられており、減圧用パネルが開放されて上記圧力差が低減されたときに当該減圧用パネルが無用に開放状態におかれるのを防止するようにしている。
【先行技術文献】
【特許文献】
【０００７】
【特許文献１】特開平７−２５９４０７公報
【発明の概要】
【発明が解決しようとする課題】
【０００８】
本発明は、上記特許出願にかかるドアを更に改良して、減圧用パネルの開放そして若しくは閉鎖をハンドル操作によって行えるようにしたドア及び減圧用パネルの開閉を行うために該ドアに取り付けられるパネル開閉操作装置を提供することを目的とする。
【課題を解決するための手段】
【０００９】
すなわち、本発明は、
一方の側縁に沿って垂直に延びる第１軸線を中心に枢動可能とされて、ドア開口閉鎖位置とドア開口開放位置との間で変位可能とされたドア本体と、
該ドア本体の表面から裏面に貫通するように設けられた減圧用開口内に設けられる減圧用パネルであって、該ドア本体の該一方の側縁に近い側にある第１側縁と該ドア本体の他方の側縁に近い側にある第２側縁とを有し、該第１側縁及び該第２側縁の間において垂直に延びる第２軸線を中心に枢動可能とされ、減圧用開口閉鎖位置と減圧用開口開放位置との間で変位可能に取り付けられている減圧用パネルと、
該ドア本体の該他方の側縁に隣接して該ドア本体内に取り付けられたドアラッチ装置であって、該ドア本体を該表面から裏面に貫通する方向で水平に延びるように取り付けられ、その長手軸線を中心に回転可能とされたハンドル軸と、該ハンドル軸の端部に固定されたハンドルと、該ドア本体が該ドア開口閉鎖位置にあるときに、該ハンドルを介して回転される該ハンドル軸に連動して該ドア本体の該他方の側縁から外側に突出して該ドア開口を画定しているドア開口側縁に設けられているドア施錠用穴に嵌合するドア施錠位置と、該ドア本体内に引き込められたドア解錠位置との間で変位可能とされたドア本体用ラッチボルトとを有するドアラッチ装置と、
該ドアラッチ装置に隣接して該ドア本体内に設けられた減圧パネル用ラッチ装置であって、該減圧用パネルが該減圧用開口閉鎖位置にあるときに該減圧用パネルの側縁に設けられているパネル施錠用穴に嵌合するパネル施錠位置と、該パネル施錠用穴から引き戻されたパネル解錠位置との間で変位可能とされた減圧パネル用ラッチボルトを有し、該ハンドル軸が回転されて該ドア本体用ラッチボルトが該ドア施錠位置から該ドア解錠位置に向けて変位されるのに連動して該減圧パネル用ラッチボルトを該パネル施錠位置から該パネル解錠位置に変位させるようにした減圧パネル用ラッチ装置と、
該ハンドル軸が回転されて該ドア本体用ラッチボルトが該ドア施錠位置から該ドア解錠位置に向けて変位されるのに伴い該減圧パネル用ラッチ装置が該減圧パネル用ラッチボルトを該パネル解錠位置に変位させたときに、該ハンドル軸の更なる回転に連動して該減圧用パネルを該減圧用開口閉鎖位置から該減圧用開口開放位置に変位させるパネル開閉操作装置と、
を有する開閉可能の減圧用開口を備えたドアを提供する。
ここでハンドルとはノブやレバーなどの形式のラッチ操作用の取っ手を意味する。また、「減圧用パネルの側縁」とあるのは左右の側縁、上下の側縁のいずれかを意味する。
【００１０】
本発明にかかるドアでは、ドア本体に設けられたドアラッチ装置のハンドルを操作してハンドル軸を回転させることに連動して減圧パネル用ラッチボルトをパネル施錠位置からパネル解錠位置に変位させるようにするとともに、該ハンドル軸の更なる回転に連動して該減圧用パネルを該減圧用開口閉鎖位置から該減圧用開口開放位置に変位させるようになっており、該減圧用パネルを容易に確実に減圧用開口開放位置に変位させることが可能となる。
【００１１】
具体的には、
該パネル開閉操作装置は、
該ハンドル軸と共に回動する係合部材と、
長手軸線方向で変位可能にして該ドア本体に取り付けられた第１のラック部材であって、該ハンドル軸の該更なる回転が行われるときに該第１のラック部材の一端が該駆動部材に係合されて該長手軸線方向に動かされるようになされており、他端に該長手軸線方向で延びる第１のラック部を有する第１のラック部材と、
該減圧用パネルを該ドア本体に枢動可能に取り付けるために該第２軸線に沿って該減圧用パネルに固定された枢軸に固定された第１のピニオンと、
長手軸線方向で変位可能にして該ドア本体に取り付けられた第２のラック部材であって、一端に該第１のピニオンに噛合する第２のラック部及び他端に第３のラック部を有する第２のラック部材と、
該第１のラックと該第３のラックとに噛合された第２のピニオンと
を有しており、
該ハンドル軸の該更なる回転に伴う該第１のラック部材の長手軸線方向での変位が該第１ラック部、該第２のピニオン、該第３のラック部を介して該第２のラック部材の長手軸線方向での変位を生じ、これにより第２のラック部、第１のピニオン及び該枢軸を介して該減圧用パネルを該減圧用開口閉鎖位置から該減圧用開口開放位置に枢動させるようにすることができる。
【００１２】
より具体的には該第１及び第２のラック部材は相互に直交するように配置することができる。
【００１３】
更に具体的には、
該第１のラック部材は垂直方向に延び、
該第２のラック部材は該減圧用パネルの下縁に隣接して水平に延びるようにすることができる。
【００１４】
また、該第２のピニオンは同軸状に配置した大径ピニオン部と小径ピニオン部とを有しており、該第１のラックは該大径ピニオン部に噛合し、第３のラックは該小径ピニオン部に噛合するようなものとすることができる。
【００１５】
該第１のラック部材は、該一端から該他端方向に向けて弾性的に付勢されており、該ハンドル軸の該更なる回転による該第１のラック部材の該長手軸線方向での動きとは逆の方向に付勢されるようにすることができる。このようにすることにより、ハンドルに対する回動力をなくしたときに、この付勢力により減圧用パネルを減圧用開口閉鎖位置に自動的に戻すことを可能とする。
【００１６】
更に、該第２のラック部材は、該第３のラック部から該第２のラック部に向かう方向で弾性的に付勢されており、該ハンドル軸の該更なる回転による該第２のラック部材の該長手軸線方向での動きとは逆の方向に付勢されるようにすることもできる。これによっても減圧用パネルの減圧用開口閉鎖位置への自動的戻りを可能とする。
【００１７】
また、該減圧パネル用ラッチ装置は、該ハンドル軸の回転に連動して該ドア本体用ラッチボルトが該ドア解錠位置になる前に、該減圧パネル用ラッチボルトを該パネル施錠位置から該パネル解錠位置に変位させるようにすることができる。
【００１８】
本発明はまた、
一方の側縁に沿って垂直に延びる第１軸線を中心に枢動可能とされて、ドア開口閉鎖位置とドア開口開放位置との間で変位可能とされたドア本体と、
該ドア本体の表面から裏面に貫通するように設けられた減圧用開口内に設けられる減圧用パネルであって、該ドア本体の該一方の側縁に近い側にある第１側縁と該ドア本体の他方の側縁に近い側にある第２側縁とを有し、該第１側縁及び該第２側縁の間において垂直に延びる第２軸線を中心に枢動可能とされ、減圧用開口閉鎖位置と減圧用開口開放位置との間で変位可能に取り付けられている減圧用パネルと、
該ドア本体の該他方の側縁に隣接して該ドア本体内に取り付けられたドアラッチ装置であって、該ドア本体を該表面から裏面に貫通する方向で水平に延びるように取り付けられ、その長手軸線を中心に回転可能とされたハンドル軸と、該ハンドル軸の端部に固定されたハンドルと、該ドア本体が該ドア開口閉鎖位置にあるときに、該ハンドルを介して回転される該ハンドル軸に連動して該ドア本体の該他方の側縁から外側に突出して該ドア開口を画定しているドア開口側縁に設けられているドア施錠用穴に嵌合するドア施錠位置と、該ドア本体内に引き込められたドア解錠位置との間で変位可能とされたドア本体用ラッチボルトとを有するドアラッチ装置と、
該ドアラッチ装置に隣接して該ドア本体内に設けられた減圧パネル用ラッチ装置であって、該減圧用パネルが該減圧用開口閉鎖位置にあるときに該減圧用パネルの側縁に設けられているパネル施錠用穴に嵌合するパネル施錠位置と、該パネル施錠用穴から引き戻されたパネル解錠位置との間で変位可能とされた減圧パネル用ラッチボルトを有し、該ハンドル軸が回転されて該ドア本体用ラッチボルトが該ドア施錠位置から該ドア解錠位置に向けて変位されるのに連動して該減圧パネル用ラッチボルトを該パネル施錠位置から該パネル解錠位置に変位させるようにした減圧パネル用ラッチ装置と、
を有するドアに取り付けられるパネル開閉操作装置であって、
該ハンドル軸が回転されて該ドア本体用ラッチボルトが該ドア施錠位置から該ドア解錠位置に向けて変位されるのに伴い該減圧パネル用ラッチ装置が該減圧パネル用ラッチボルトを該パネル解錠位置に変位させたときに、該ハンドル軸の更なる回転に連動して該減圧用パネルを該減圧用開口閉鎖位置から該減圧用開口開放位置に変位させるようにしたパネル開閉操作装置を提供する。
【００１９】
具体的には、
該ハンドル軸と共に回動する係合部材と、
長手軸線方向で変位可能にして該ドア本体に取り付けられた第１のラック部材であって、該ハンドル軸の該更なる回転が行われるときに該第１のラック部材の一端が該係合部材に係合されて該長手軸線方向に動かされるようになされており、他端に該長手軸線方向で延びる第１のラック部を有する第１のラック部材と、
該減圧用パネルを該ドア本体に枢動可能に取り付けるために該第２軸線に沿って該減圧用パネルに固定された枢軸に固定された第１のピニオンと、
長手軸線方向で変位可能にして該ドア本体に取り付けられた第２のラック部材であって、一端に該第１のピニオンに噛合する第２のラック部及び他端に第３のラック部を有する第２のラック部材と、
該第１のラックと該第３のラックとに噛合された第２のピニオンと
を有しており、
該ハンドル軸の該更なる回転に伴う該第１のラック部材の長手軸線方向での変位が該第１ラック部、該第２のピニオン、該第３のラック部を介して該第２のラック部材の長手軸線方向での変位を生じ、これにより第２のラック部、第１のピニオン及び該枢軸を介して該減圧用パネルを該減圧用開口閉鎖位置から該減圧用開口開放位置に枢動させるようにすることができる。
【００２０】
この場合、該第２のピニオンは同軸状に配置した大径ピニオン部と小径ピニオン部とを有しており、該第１のラックは該大径ピニオン部に噛合し、第３のラックは該小径ピニオン部に噛合するようにすることができる。
【００２１】
また、該第１のラック部材は、該第１のラック部材の該一端から該他端方向に向けて弾性的に付勢されるようにすることができる。
【００２２】
また、該第２のラック部材は、該第３のラック部から該第２のラック部に向かう方向で弾性的に付勢されるようにすることができる。
【００２３】
以下、本発明に係る開閉可能な減圧用開口を備えたドアの実施形態を添付図面に基づき説明する。
【図面の簡単な説明】
【００２４】
【図１】本発明に係るドアの正面から見た概要図であり、常閉防火ドアとして使用した例を示している。
【図２】図１の常閉防火ドアに設けられているドアラッチ装置、減圧パネル用ラッチ装置、パネル開閉操作装置の概要図である。
【図３】図２に示したパネル開閉操作装置における第２のラック部材の概要平面図である。
【図４】パネル開閉操作装置の他の実施形態の要部を示す概要図である。
【図５】図４のパネル開閉操作装置の概要平面図である。
【発明を実施するための形態】
【００２５】
図１に示す常閉防火ドアとして用いた本発明に係るドア１０は、図で見て紙面手前側の部屋と紙面裏側の廊下との間に設けられたドア開口（通路開口）１２を通常は閉鎖するように設定される。ドア１０は図で見て左側の側縁１４に沿って垂直に延びる第１軸線１６を中心に枢動可能とされてドア開口１２を閉鎖する位置（ドア開口閉鎖位置）とドア開口１２を開放する位置（ドア開口開放位置）との間で変位可能とされたドア本体１８と、ドア本体１８の表面から裏面に貫通するように設けられた減圧用開口２０内に設けられる減圧用パネル２２とを有している。この減圧用パネル２２は、左右の第１側縁２２ａ、第２側縁２２ｂの間において垂直に延びる第２軸線２４を中心に枢動可能とされて減圧用開口２０を閉鎖する位置（減圧用開口閉鎖位置）と減圧用開口２０を開放する位置（減圧用開口開放位置）との間で変位可能にされている。詳細は省略するが、第１軸線１６に沿ってクローザ付きのヒンジ装置が設けられており、ドア開口閉鎖位置からドア開口開放位置に向けて枢動されたドア本体１８は、該クローザ付きヒンジ装置によりドア開口閉鎖位置に向けて付勢されるようになっている。ドア本体１８も減圧用パネル２２も、表側及び裏側の鉄板を備えた中空の作りとなっており、減圧用パネル２２が図１に示す減圧用開口閉鎖位置にあるときは、ドア本体１８及び減圧用パネル２２の表面及び裏面はそれぞれ面一になるようにされている。
【００２６】
図２に示すようにドア１０のドア本体１８の内部には、ドア１０を開放可能にドア開口閉鎖位置に保持するためのドアラッチ装置２６と、該ドアラッチ装置２６に隣接して設けられ減圧用パネル２２を減圧用開口閉鎖位置に開放可能に保持する減圧パネル用ラッチ装置２７と、減圧用パネル２２を第２軸線２４を中心に枢動して減圧用開口２０の開閉を行うパネル開閉操作装置２９とが設けられている。
【００２７】
ドアラッチ装置２６は、ドア本体１８を表面から裏面に貫通し水平に延びるハンドル軸２８の端部に取り付けられたハンドル３０を手で回すことによりドア開口１２の側縁に設けられているドア施錠用穴１２ａに嵌合・嵌合解除されるドア本体用ラッチボルト３２を有している。ハンドル３０とドア本体用ラッチボルト３２との機能的接続関係は種々のものがよく知られているので、この実施形態ではその詳細な説明は省略する。尚、図２において、参照番号２６ａ及び２６ｂは、それぞれ、ドア本体１８をドア開口閉鎖位置にロックするためのデッドボルト及びデッドボルトを操作するためのキーシリンダーを示している。
【００２８】
減圧パネル用ラッチ装置２７は平たいケース状に形成されたパネルラッチ装置本体３６と、パネルラッチ装置本体３６内に水平方向で変位可能とされて矩形状のラッチボルト保持体３７の先端（左端）に取り付けられた減圧パネル用ラッチボルト４２と、ハンドル軸２８の回動に伴って減圧パネル用ラッチボルト４２を図２に示すパネル解錠位置と該パネル解錠位置から左方に変位し減圧用パネル２２の第２側縁２２ｂに設けられているパネル施錠用穴４０に嵌合するパネル施錠位置との間で変位させるためのラッチボルト操作手段４１とを有している。ラッチボルト保持体３７はパネルラッチ装置本体３６に固定されている固定バネ支持体３９との間に取り付けられた圧縮バネ４３を有しており、該圧縮バネ４３によって減圧パネル用ラッチボルト４２を上記パネル施錠位置に付勢するようになっている。ラッチボルト操作手段４１は、ハンドル軸２８の両端近くに取り付けられてパネルラッチ装置本体３６の表面及び裏面に沿って相互に平行に延びる一対の揺動部材３８ａからなるラッチボルト駆動部材３８を有する。ラッチボルト駆動部材３８のハンドル軸２８との連結ハブ部３８bには図示のように、ハンドル軸２８の直径方向両側の位置に一対の円弧状のガイド孔４６が設けられており、これらガイド孔４６はそれぞれハンドル３０をドア本体１８に取り付けるために用いられている固定軸４８を受け入れて、ハンドル３０の回動に伴うラッチボルト駆動部材３８の回動範囲を制限するようになっている。また、一対の揺動部材３８aの間には、パネルラッチ装置本体３６に設けられた円弧状のガイド孔３６ａ、３６ｂを通して延びる第１及び第２連結軸５０、５２が設けられて該一対の揺動部材３８aを連結している。第１連結軸５０には、一端がパネルラッチ装置本体３６に固定された捩りバネ５４の他端が係合されており、ラッチボルト駆動部材３８を図２で見て時計方向に付勢されている。第２連結軸５２は、パネルラッチ装置本体３６に枢着されて捩りバネ５５により反時計方向に付勢されている二股レバー５６と係合しており、ドア本体用ラッチボルト３２をドア施錠位置からドア解錠位置にするためにハンドル３０を反時計方向に回すことによりハンドル軸２８が反時計方向に回転されることに伴い、ラッチボルト駆動部材３８が反時計方向に回動されたときに該第２連結軸５２が二股レバー５６を時計方向に枢動してラッチボルト保持体３７を圧縮バネ４３の付勢力に抗して図２で見て右方に変位し、減圧用ラッチボルト４２をパネル施錠用穴４０から抜き出してパネル解錠位置とするようになっている。減圧パネル用ラッチボルト４２は、汎用のものと同様に、減圧用パネル２２の開閉方向での一方の面は傾斜面、他方の面は平面とされた先細りの形状とされており、減圧用パネル２２が減圧用開口開放位置から減圧用開口閉鎖位置に戻るのを許容するが、その逆の動きは阻止するようになっている。
【００２９】
図２は、減圧パネル用ラッチボルト４２が上述のようにしてパネル解錠位置となった状態を示すが、この状態ではドア本体用ラッチボルト３２はまだドア施錠位置にあるようにされている。すなわち、出火時にハンドル３０を通常位置からある程度回動操作して図２に示す状態とされたときには、ドア本体１８はドア本体用ラッチボルト３２によりドア開口閉鎖位置に施錠された状態にあるが、減圧用パネル２２は減圧パネル用ラッチボルト４２がパネル解除位置となりドア本体１８に対して枢動可能な状態となる。
【００３０】
パネル開閉操作装置２９は、ドア１０の側縁１０ａに沿って垂直に延びハンドル軸２８の回動に伴って上下動される第１のラック部材４４と、減圧用パネル２２の下縁２２ｃに隣接して水平に延びる第２のラック部材４７と、第１のラック部材４４の下端部にあるラック部４４ａに噛合する大径ピニオン部４９ａ及び第２のラック部材４７の右端近くにあるラック部４７ａに噛合する小径ピニオン部４９ｂからなるピニオン４９と、減圧用パネル２２の下縁２２ｃから減圧用パネル２２の枢軸線（第２軸線）２４に沿って下方に延びる枢軸２２ｄに固定されて第２のラック部材４７の左端近くにあるラック部４７ｂに噛合するピニオン５１を有している。上述のように図２はハンドル３０を回して減圧パネル用ラッチボルト４２がパネル解錠位置とされドア本体用ラッチボルト３２がまだ施錠位置にある状態であるが、この状態になるまでハンドル３０が回されてラッチボルト駆動部材３８が図示の位置まで反時計方向に回された状態では、ラッチボルト駆動部材３８の連結ハブ部３８ｂに設けられハンドル軸２８に対して径方向で突出するように設けられたフック部（係合部材）３８ｃが第１のラック部材４４の上端に設けられているピン４４ｂに係合するようになる。この状態でハンドル３０を介してハンドル軸２８を更に反時計方向に回転すると第１のラック部材４４はピン４４ｂにより上方にもちあげられる。これによりピニオン４９が反時計方向に回転され第２のラック部材４７が右方に変位され、ピニオン５１が回転されて減圧用パネル２２が減圧用開口閉鎖位置から減圧用開口開放位置に回動される。第１のラック部材４４は、ドア本体１８に固定されて垂直方向に延び第１のラック部材４４を上下方向で変位可能に支持している第１のラック部材支持体４５Ａの上端部４５ａとの間に設けられた圧縮バネ４４ｄによって下方に付勢されており、第２のラック部材４７はドア本体１８に固定されて水平方向に延び第２のラック部材４７を水平方向で変位可能に支持している第２のラック部材支持体４５Ｂの右端部４５ｂとの間に設けられた圧縮バネ４７ｄ(図３)により左方に付勢されている。従ってハンドル３０への回動力を無くした状態では、第１のラック部材４４は下方に、第２のラック部材４７は左方に変位して、減圧用パネル２２は減圧用開口閉鎖位置に戻される。尚、減圧用パネル２２の枢軸線（第２軸線）２４は、減圧用パネル２２の幅方向の略中央位置にあり、減圧用パネル２２における枢軸線２４の右側部分及び左側部分にかかる空気圧により生じる減圧用パネル２２に対する枢軸線２４の周りでのトルクが略等しいようにしてある。これはハンドル３０の回動による減圧用パネル２２の開閉操作が空気圧の影響を受けることなくできるようにするためである。ただし、摺動軸線２４を上記中央位置からずらして設定して、減圧用パネル２２を減圧用開口閉鎖位置から減圧用開口開放位置の方向に回動するときに、減圧用パネル２２に空気圧による同方向でのトルクがかかるようにしてハンドル３０の回動操作による減圧用パネル２２の回動を容易にできるようにすることもできる。この場合、減圧用パネル２２が一旦減圧用開口開放位置になれば減圧用パネル２２の表裏面にかかる圧力差は大幅に低���されることになるため、減圧用開口開放位置から減圧用開口閉鎖位置の方向に対する空気圧による抵抗は小さなものとなる。
【００３１】
本発明に係るドア及びそれに用いられているラッチ装置は上述の通りであり、ドア開口閉鎖位置にあるドア１０をドア開口開放位置にするためには、ハンドル３０を図で見て反時計方向に回すことにより、先ず減圧パネル用ラッチボルト４２をパネル解錠位置とし、次いでパネル開閉操作装置２９によって減圧用パネル２２を減圧用開口開放位置に変位し、次いでドア本体用ラッチボルト３２をドア開口解錠位置にして、ハンドル３０を回した手で該ハンドル３０を押して当該ドア１０を開放することができる。このとき、減圧用パネルが回動されて減圧用開口２０を開放する状態となったとしても、ハンドルはドア本体側にあるので、そのような減圧用パネルの回動位置とは関係なくハンドル３０をもってドアの回動操作を行うことが可能となる。また、減圧用パネル２２の開閉をハンドル３０を介して直接的に行うことができ、前述の特許出願におけるように減圧用パネルの開放をドア前後での圧力差で行い、閉鎖を磁気装置で行う場合に比べてより確実に減圧用パネルの開閉を行うことが可能となる。
【００３２】
図４及び図５は、パネル開閉操作装置２９の別の実施形態の要部を示している。このパネル開閉操作装置２９では、上述のラックピニオン式ではなくリンク機構式となっており、図４及び図５は上述のパネル開閉操作装置２９の第２のラック部材４７に対応するリンク部分をそれぞれ図２及び図３に対応して示している。すなわち、このパネル開閉操作装置２９は、上下方向に延びてハンドル３０の回動に伴って上下動する上下動リンク６０と、上下動枢動リンクの上下動により枢軸６２の周りで枢動する枢動リンク６４と、それぞれ一端が枢動リンク６４に枢着されて水平方向に相互に平行に延びる一対の水平動リンク６６ａ、６６ｂと、減圧用パネル２２の下縁から延びる枢軸２２ｄに固定され枢軸２２ｄと共に枢動可能とされた枢動リンク６８とを有し、これら枢動リンク６４、一対の水平動リンク６６及び枢動リンク６８は平行リンク機構を構成している。このパネル開閉操作装置２９では、ハンドル３０の回動が回動されると上下動リンク６０が上下動され、この平行リンク機構を介して枢軸２２ｄ及び減圧用パネル２２が開閉動されるようになっている。
【００３３】
以上、本発明の実施形態を説明したが本発明はこれらに限定されるものではない。例えば、本発明に係るドアは必ずしも防火ドアに限られることはなく、また以上で説明したような常閉防火ドアではなく、常開防火ドアへの適用も可能である。
【符号の説明】
【００３４】
ドア１０
側縁１０ａ
ドア開口１２
ドア施錠用穴１２ａ
ドア側縁１４
第１の軸線１６
ドア本体１８
減圧用パネル２２
第１側縁２２ａ
第２側縁２２ｂ
下縁２２ｃ
枢軸２２ｄ
枢軸線（第２軸線）２４
ドアラッチ装置２６
減圧パネル用ラッチ装置２７
ハンドル軸２８
パネル開閉操作装置２９
ハンドル３０
ドア本体用ラッチボルト３２
パネルラッチ装置本体３６
ガイド孔３６ａ、３６ｂ
ラッチボルト保持体３７
ラッチボルト駆動部材３８
揺動部材３８ａ
連結ハブ部３８ｂ
フック部（係合部材）３８ｃ
固定バネ支持体３９
パネル施錠用用穴４０
ラッチボルト操作手段４１
減圧パネル用ラッチボルト４２
圧縮バネ４３
第１のラック部材４４
ラック部４４ａ
ピン４４ｂ
圧縮バネ４４ｄ
第１のラック部材支持体４５Ａ
第１のラック部材支持体の上端部４５ａ
第２のラック部材支持体４５Ｂ
第２のラック部材保持体の右端部４５ｂ
ガイド孔４６
第２のラック部材４７
ラック部４７ａ
ラック部４７ｂ
圧縮バネ４７ｄ
固定軸４８
ピニオン４９
大径ピニオン部４９ａ
小径ピニオン部４９ｂ
第１連結軸５０
ピニオン５１
第２連結軸５２
捩りバネ５４
捩りバネ５５
二股レバー５６
【図１】
2019173474.tif 000003
【図２】
2019173474.tif 000004
【図３】
2019173474.tif 000005
【図４】
2019173474.tif 000006
【図５】
2019173474.tif 000007